(57)【特許請求の範囲】
【請求項１】
作業者の背部に配置可能で上下方向に延びるバックプレートと、前記作業者の両肩部に当接する一対の肩掛けパッドと、を備え、前記作業者が装着して動力工具を該作業者の横側に支持するハーネスであって、
前記バックプレートに、該バックプレートから分岐するように前記肩掛けパッドが固定されて、ベルトによって、前記バックプレートと前記肩掛けパッドとを接続し、前記ベルトの長さを調整可能な調整部材を備え、該調整部材によって前記ベルトの長さを調整することで、前記バックプレートの位置を、前記背部側へ引き寄せるように調整可能としたことを特徴とするハーネス。
【請求項２】
前記ハーネスは、前記動力工具を前記横側に支持する支持部材を備え、
前記一対の前記肩掛けパッドは、前記ハーネスの上方から下方へ対角線状に延びて、前記作業者の前側で互いに接続されて、前記一対の前記肩掛けパッドの接続部に、前記支持部材を繋げたことを特徴とする請求項１に記載のハーネス。
【請求項３】
前記バックプレートの上方に、該バックプレートの下方よりも幅寸法が小さい幅狭部を設けて、前記ベルトによって、前記幅狭部と前記肩掛けパッドとを接続して、前記調整部材によって前記ベルトの長さを調整することで、前記幅狭部を前記背部側へたわませるように引き寄せ可能にしたことを特徴とする請求項１又は２に記載のハーネス。
【請求項４】
前記バックプレートには、前記肩掛けパッドが固定された位置よりも上方に、手提げ可能な穴を設けたことを特徴とする請求項１ないし３のいずれかに記載のハーネス。
【発明の詳細な説明】
【技術分野】
【０００１】
この発明は、刈払機やブロワ等の動力工具を支持するために作業者が装着するハーネスに関する。
【背景技術】
【０００２】
刈払機やブロワ等の動力工具を用いて作業を行う場合、作業性を考慮して作業者はハーネスと称される作業具を装着し、ハーネスに動力工具を吊り下げ係止等することで、動力工具の重量を体で支持できるようにしている。このハーネスには、特許文献１に示すように、作業者の背部に配されるバックプレートと、バックプレートに一体に形成されて肩掛けベルトと共に作業者の肩部に配される肩プレートと、バックプレートに固定された腰ベルトとを備え、肩掛けベルトと腰ベルトとを作業者の前側でそれぞれバックルに接続するようにしたものが知られている。
【０００３】
このハーネスでは、バックプレートは作業者の背部に適合させるための曲面形状を有し、肩プレートには、作業者の肩部に沿って肩プレートが自由に湾曲できるようにするために複数の溝を形成することで、作業者がハーネスを装着するときに、バックプレートや肩プレートを作業者の背部や肩部に適合させる工夫がなされている。
【先行技術文献】
【特許文献】
【０００４】
【特許文献１】特開２０１０−２５２６８９号公報
【発明の概要】
【発明が解決しようとする課題】
【０００５】
しかしながら上記のハーネスでは、バックプレートが曲面形状を有するようにしたとしても、すべての作業者の背部に最適な状態でバックプレートを適合させることができないおそれがあった。その結果、動力工具の重量をバックプレートで十分に分散できず、作業者は荷重が集中して負担に感じるおそれがあった。また、肩プレートを作業者の肩部に適合させるためには、肩プレートに複数の溝を設けなければならないことから、ハーネスの構造が複雑になることも懸念されていた。
【０００６】
この発明は、このような状況に鑑み提案されたものであって、構造が簡単で作業者にかかる負担を軽減可能なハーネスを提供することを目的とする。
【課題を解決するための手段】
【０００７】
請求項１の発明に係るハーネスは、作業者の背部に配置可能で上下方向に延びるバックプレートと、前記作業者の両肩部に当接する一対の肩掛けパッドと、を備え、前記作業者が装着して動力工具を該作業者の横側に支持するハーネスであって、前記バックプレートに、該バックプレートから分岐するように前記肩掛けパッドが固定されて、ベルトによって、前記バックプレートと前記肩掛けパッドとを接続し、前記ベルトの長さを調整可能な調整部材を備え、該調整部材によって前記ベルトの長さを調整することで、前記バックプレートの位置を、前記背部側へ引き寄せるように調整可能としたことを特徴とする。
【０００８】
請求項２の発明は、請求項１において、前記ハーネスは、前記動力工具を前記横側に支持する支持部材を備え、前記一対の前記肩掛けパッドは、前記ハーネスの上方から下方へ対角線状に延びて、前記作業者の前側で互いに接続されて、前記一対の前記肩掛けパッドの接続部に、前記支持部材を繋げたことを特徴とする。
【０００９】
請求項３の発明は、請求項１又は２において、前記バックプレートの上方に、該バックプレートの下方よりも幅寸法が小さい幅狭部を設けて、前記ベルトによって、前記幅狭部と前記肩掛けパッドとを接続して、前記調整部材によって前記ベルトの長さを調整することで、前記幅狭部を前記背部側へたわませるように引き寄せ可能にしたことを特徴とする。
【００１０】
請求項４の発明は、請求項１ないし３のいずれかにおいて、前記バックプレートには、前記肩掛けパッドが固定された位置よりも上方に、手提げ可能な穴を設けたことを特徴とする。
【発明の効果】
【００１１】
請求項１の発明に係るハーネスによれば、調整部材によって、バックプレートと各肩掛けパッドとを接続したベルトの長さを調整して、バックプレートを作業者の背部側へ引き寄せるだけの簡単な構造で、バックプレートを作業者の背部に密着させることができる。これにより、動力工具の重量を前記バックプレートに分散させる結果、作業者にかかる負担を軽減できる。
請求項２の発明によれば、動力工具の重量を、一対の肩掛けパッドを介して作業者の両肩部に分担させることが可能になる。よって、作業者の一方の肩部に荷重が集中することがなくなって、作業者の肩部にかかる負担を軽減できる。
請求項３の発明によれば、バックプレートの上方に設けた幅狭部は、バックプレートの下方よりも断面二次モーメントが小さくなるため、バックプレートの上方が下方よりもたわみ易くなる。したがって、調整部材によって、各幅狭部と各肩掛けパッドとを接続したベルトの長さを調整することで、バックプレートの上方が作業者の背部側へ引き寄せ易くなる。
請求項４の発明によれば、バックプレートに手提げ可能な穴を設けて、この穴の幅寸法は、作業者の手の幅寸法よりも大きいため、この穴によって開口した部分は、バックプレートの幅寸法に対して比較的大きな割合を占めることになる。このため、バックプレートの剛性を、この穴の付近で十分に低下させることが可能になる。さらにバックプレートにおいては、この穴が、肩掛けパッドがバックプレートに固定された位置よりも上方に設けられているため、ベルトの長さを調整することでバックプレートを、この穴付近でたわませることが可能になる。これにより、バックプレートを作業者の背部に密着させて動力工具の重量を前記バックプレートに分散させる結果、作業者にかかる負担を軽減できる。
また作業者は、ハーネスを装着していない状態では、この穴を用いてバックプレートを持ちながら、ハーネスを持ち運ぶことができる。
【図面の簡単な説明】
【００１２】
【図１】本発明の実施形態のハーネスの展開図である。
【図２】作業者に装着された同ハーネスの背面図である。
【図３】同ハーネスの側面図である。
【図４】同ハーネスの正面図である。
【図５】同ハーネスが備える肩掛けパッドの断面図である。
【図６】同ハーネスが備える腰当てパッドの平面図である。
【図７】図６のＡ−Ａ線要部断面図である。
【発明を実施するための形態】
【００１３】
本発明の実施形態を図１ないし図７を参照しつつ説明する。図１に示すハーネス１は、刈払機等の動力工具を支持するために作業者が装着するもので、バックプレート２と、肩掛けパッド３、３と、腰当てパッド４と、肩掛けベルト５、５と、第１ベルト長さ調整具６、６と、バックル７と、脇当てパッド８と、支持部材９と、引掛けリング１０とを備えている。
【００１４】
図２及び図３に示すように作業者がハーネス１を装着したときは、バックプレート２は作業者の背部に配置される。このバックプレート２は、上下方向に延びる板状であって合成樹脂製で可撓性を有する。バックプレート２には、左右の上端から上方へ突出してバックプレート２の下方よりも幅寸法が小さい幅狭部１２（図１及び図２参照。）が一対形成されている。さらに図１及び図２に示すようにバックプレート２の上方には、作業者の指が挿入可能な大きさで手提げ可能な穴１３が開設されている。この穴１３は、ハーネス１の上下方向（図１の上下方向）で、肩掛けパッド３、３がハーネス１に固定された位置Ｐ１（図１参照。）よりも上方に配置されている。作業者は、穴１３に挿入した指でバックプレート２を保持した状態で、ハーネス１を手に提げて持ち運ぶことができる。
【００１５】
図２ないし図４に示すように作業者がハーネス１を装着したときは、肩掛けパッド３、３は作業者の両肩部に当接する。各肩掛けパッド３の上方は、バックプレート２の内表面に異なる位置で固定されている。その結果図１及び図４に示すように、肩掛けパッド３、３は、バックプレート２から分岐するように該バックプレート２に固定されている。図１及び図５に示すように肩掛けパッド３は、合成繊維製の生地１４の内部に、緩衝部材としてのポリエチレンフォーム１５とポリウレタンフォーム１６とを内在させた帯状とされている。加えて本実施形態では、例えば活性炭等の消臭剤が封入された短冊状の消臭シート１７が、ポリエチレンフォーム１５とポリウレタンフォーム１６との間に挟持されている。この消臭シート１７によって、肩掛けパッド３、３には防臭機能が付与される。なお消臭シート１７は本発明の防臭シートの一例である。
【００１６】
図２及び図３に示すように作業者がハーネス１を装着したときは、腰当てパッド４は作業者の腰回りに当接する。腰当てパッド４は、バックプレート２の下方の外表面に固定されている。この腰当てパッド４は、肩掛けパッド３と同様に合成繊維製の生地の内部にポリエチレンフォームとポリウレタンフォームとを内材させて、左右方向に延びる帯状とされている。図１及び図６に示すように腰当てパッド４は、左右方向の中心部の下面に水平部分２１を設けて、この水平部分２１を最下部として左方及び右方に向けて斜め上方へ傾斜した形状とされている。なお図１及び図６では、左右方向を腰当てパッド４の左右方向とした。
【００１７】
図３及び図４に示すように作業者がハーネス１を装着したときは、一対の肩掛けベルト５、５は、それぞれ肩掛けパッド３の上側で作業者の肩部に掛けられる。各肩掛けベルト５の下方は肩掛けパッド３に縫い付けられている。一方、肩掛けベルト５の上方は、調整部材としての第１ベルト長さ調整具６に移動可能に係止されて、肩掛けベルト５の長さは第１ベルト長さ調整具６で調整可能とされている。図２及び図３に示すように、この第１ベルト長さ調整具６は、バックプレート２の幅狭部１２に接続されたベルト２２に取り付けられている。
【００１８】
図１及び図４に示すように、各肩掛けベルト５の下端には第２ベルト長さ調整具２３が取り付けられている。そして、一方の第２ベルト長さ調整具２３には、バックル７の雄部材２４に接続されて雄部材２４の位置を調整可能な位置調整ベルト２５が移動可能に係止されている。さらに雄部材２４には、ベルトを挿入保持するスリットを設けた合成樹脂製の第１プレート２６が固定されている。また図１、４、６に示すように腰当てパッド４には、第３ベルト長さ調整具２７が取り付けられている。そして、第１プレート位置調整ベルト２８は、第１プレート２６のスリットに挿通保持された状態で、第３ベルト長さ調整具２７によって長さ調整可能とされている。
【００１９】
図２ないし図４に示すように作業者がハーネス１を装着したときは、脇当てパッド８を作業者の左脇腹に当接させることができる。なお以下では、図２の左側を作業者の左側、右側を作業者の右側とし、図４の左側を作業者の右側、右側を作業者の左側とする。また図１に示すように脇当てパッド８の上側には、締め付けベルト３１の一部が縫い付けられており、この締め付けベルト３１はバックル７の雌部材３２のスリットに挿通保持されている。図１及び図２に示すように、締め付けベルト３１の一方はバックプレート２に固定され、締め付けベルト３１の他方は、他方の第２ベルト長さ調整具２３に移動可能に係止されている。この第２ベルト長さ調整具２３によって締め付けベルト３１の長さを調整可能とすることで、脇当てパッド８が作業者の左脇腹へ近づく方向へ移動可能となる。
【００２０】
さらに上記の雌部材３２（図１参照。）にも、第１プレート２６（同図参照。）と同様の第２プレート３３が固定されている。加えて第２プレート位置調整ベルト３４（図１及び図４参照。）が、第２プレート３２のスリットに挿通保持された状態で、腰当てパッド４に取り付けた第４ベルト長さ調整具３５（図１参照。）によって長さ調整可能とされている。
【００２１】
図１、２、４に示すように支持部材９は、合成樹脂で形成された上下方向に延びる板状であって、作業者の右横で刈払機３６（図４参照。）を係止するために用いられる。この支持部材９は、刈払機３６のフック（図示せず。）を係止する係止金具３７と、係止金具３７に係止したフックの抜け止めを行うストッパ３８とを備えている。支持部材９に設けたスリットには、支持部材位置調整ベルト３９が挿通保持されて、支持部材位置調整ベルト３９の一方はバックプレート２（図２参照。）に取り付けられて、他方は、雄部材２４に接続されたベルト４１に取り付けた第５ベルト長さ調整具４２（図４参照。）に移動可能に係止されている。なお、作業者の右横は本発明の作業者の他方の横側の一例である。
【００２２】
また図１及び図２に示すようにバックプレート２には、作業者の左横で腰当てパッド４を支持する支持ベルト４５が取り付けられている。支持ベルト４の上方は、バックプレート２に接続されたベルト４６に取り付けた第６ベルト長さ調整具４７に移動可能に係止されている。一方図６及び図７に示すように、支持ベルト４５の下方は、腰当てパッド４の左右方向の中心部よりも左側に縫い付けられて、腰当てパッド４にループ部４８を形成する。支持ベルト４５の上下方向の一部では、支持ベルト４５の幅方向の両端部を幅方向の中心側へ折り返して重ね合わせた部分（重ね合わせ部４９）が縫い付けられている。これにより図１及び図６に示すように、支持ベルト４５は重ね合わせ部４９で細くなることで動き易くなる。
【００２３】
図６及び図７に示すようにループ部４８には、金属製の引掛けリング１０が取り付けられている。図２に示すように作業者がハーネス１を装着すると、引掛けリング１０は作業者の左横に位置する。この引掛けリング１０は、物品を引っ掛け可能なものである。一例として、図示しない燃料を入れた缶のホルダにカラビナを取り付けた上で、このカラビナを引掛けリング１０に引っ掛けることで、作業者は簡単に燃料を入れた缶を持ち歩くことができる。なお、引掛けリング１０は本発明の引掛部の一例であり、作業者の左横は本発明の作業者の一方の横側の一例である。
【００２４】
次に、作業者がハーネス１を装着して草刈り作業を行う場合を説明する。以下では図１の左側をハーネス１の左側、図１の右側をハーネス１の右側として説明する。作業者は、図１に示すバックプレート２を背部に配置した状態で肩掛けパッド３、３を後方から両肩部に当接させるために、左腕を左側の肩掛けパッド３と脇当てパッド８との間、右腕を右側の肩掛けパッド３と腰当てパッド４との間にそれぞれ挿入する。その後、腰当てパッド４を後方から作業者の腰部に巻きながら、作業者の前側でバックル７の雄部材２４をバックル７の雌部材３２に差し込んで連結する。すると、図４に示すように各プレート２６、３３が作業者の前側に当接した状態になる。図４に示した状態では、肩掛けパッド３、３は、ハーネス１の上方から下方へ対角線状に延びて、作業者の前側でバックル７と両ベルト２５、３１とを用いて互いに接続可能である。さらに図示するように支持部材９は、支持部材位置調整ベルト３９によって、肩掛けパッド３、３の接続部となるバックル７に繋いだ状態になる。
【００２５】
加えて図４に示した状態では、バックル７と両ベルト２５、３１、両プレート位置調整ベルト２８、３４を用いることで、肩掛けパッド３、３と腰当てパッド４とを作業者の前側の一箇所で連結可能としている。さらに図３から理解できるように腰当てパッド４は、肩掛けパッド３、３と腰当てパッド４とを連結した位置Ｐよりも、ハーネス１の上下方向で下方に配置されている。その結果図２及び図３に示すように、腰当てパッド４が、作業者の腰回りに密着しながら作業者の前側に向けて斜め上方へ傾斜した状態を保つことが可能になる。これにより刈払機３６を用いた草刈り作業中に、力が支持部材９に加わっても、腰当てパッド４は作業者の腰部から下がり難くなる。図２に示すように、腰当てパッド４の水平部分２１によって腰当てパッド４の最下部が作業者の腰部に密着し易くなる。これに加えて本実施形態の腰当てパッド４では、左右方向の中心部に最下部となる水平部分２１を設けたことで、腰当てパッド４の前記中心部が作業者の腰部に密着し易くなる。なお、バックル７と両ベルト２５、３１、両プレート位置調整ベルト２８、３４は、本発明の着脱部材の一例である。
【００２６】
また本実施形態では図４に示すように脇当てパッド８の締め付けベルト３１が、左側の肩掛けパッド３の肩掛けベルト５に取り付けた第２ベルト長さ調整具２３に移動可能に係止されており、締め付けベルト３１を引っ張ると、左側の肩掛けパッド３は作業者の左肩部に接近する方向へ引き締められると共に、脇当てパッド８は作業者の左脇腹を締め付ける方向へ移動する。なお、左側の肩掛けパッド３は、本発明の一対の肩掛けパッドの少なくとも一方の一例であり、作業者の左肩部は、本発明の両肩部の少なくとも一方の一例である。
【００２７】
さらに肩掛けベルト５、５を、ベルト２２、２２を介してバックプレート２の幅狭部１２、１２に取り付けられた第１ベルト長さ調整具６、６（図３及び図４参照。）から引き出すように引っ張って、幅狭部１２、１２を作業者の背部側へ引き寄せると、バックプレート２の位置を前記背部側へ引き寄せるように調整できる。特に幅狭部１２、１２は、バックプレート２の下方よりも断面二次モーメントが小さいため、幅狭部１２、１２を設けたバックプレート２の上方が、バックプレート２の下方よりもたわみ易くなって前記背部側へ引き寄せられ易くなる。加えてバックプレート２に穴１３を開設したことで、バックプレート２では、位置Ｐ１（図１参照。）よりも上方の剛性が位置Ｐ１よりも下方の剛性に比べて低下する。よって、前記上方が前記下方に比べてたわみ易くなる。これらのことから図３に示すように作業者がハーネス１を装着したときに、バックプレート２を作業者の背部に沿って湾曲させて密着させることができる。なお、肩掛けベルト５、５及びベルト２２、２２は本発明のベルトの一例である。
【００２８】
作業者は上記の要領でハーネス１を装着した後に、刈払機３６（図４参照。）のフックを支持部材９の係止金具３７（図４参照。）に係止すると、刈払機３６の重量がハーネス１を介して作業者に加わることになる。このときバックプレート２を作業者の背部に密着させたことで、刈払機３６の重量をバックプレート２全体に分散できる。さらには、肩掛けパッド３、３と腰当てパッド４とを作業者の前側の一箇所で連結したことで、刈払機３６の重量を、連結した肩掛けパッド３、３と腰当てパッド４とに分散可能となる。この他にも、支持部材９を一対の肩掛けパッド３、３の接続部となるバックル７に繋いだことで、刈払機３６の重量を、肩掛けパッド３、３が当接する作業者の両肩部に分散可能となる。その上刈払機３６の重量を、作業者の左脇腹に当接する脇当てパッド８にも分散可能となる。これらの結果、作業者の体にかかる負担を軽減できる。
【００２９】
作業者は、ハーネス１によって刈払機３６を安定して支持して左右に振りながら刈刃で草を刈る。草刈り作業時に作業者がかいた汗は肩掛けパッド３、３に吸収される。この場合でも肩掛けパッド３、３に収容した消臭シート１７で、汗の臭いを除去できる。そこでハーネス１を複数の作業者で共用する場合でも、他人の汗に起因する不快な臭いを気にすることなく作業者は快適にハーネス１を使用できる。
【００３０】
また図２に示すように本実施形態のハーネス１では草刈り作業時に、作業者の右横で刈払機３６を支持部材９に係止したままで、作業者の左横で、例えば燃料を入れた缶のホルダをカラビナを介して引掛けリング１０に引っ掛けることができる。引掛けリング１０を取り付けた腰当てパッド４は、支持ベルト４５によってバックプレート２に支持されているため、引掛けリング１０に引っ掛けた燃料を入れた缶等の重量で、腰当てパッド４が作業者の腰部から下がることを防止できる。そして支持ベルト４５は、重ね合わせ部４９（図１及び図６参照。）で細くなることで動き易くなるため、燃料を入れた缶等の重量が支持ベルト４５の一部に集中することを回避できる。よって、支持ベルト４５が腰当てパッド４からちぎれることを防止できる。
【００３１】
＜本実施形態の効果＞
本実施形態のハーネス１では、肩掛けパッド３、３に防臭機能を付与したことで、肩掛けパッド３、３に吸収された作業者の汗に起因する不快な臭いを除去することが可能になる。このため、臭いを気にすることなく作業者は快適にハーネスを使用できる。
【００３２】
また、ハーネス１における作業者の鼻に近い部分である肩掛けパッド３、３が防臭機能を有することで、肩掛けパッド３、３から不快な臭いが発せられることを軽減して、最適な防臭機能が得られる。
【００３３】
さらに消臭シート１７を用いるだけで、簡単にハーネス１に対して防臭機能を持たせることができる。
【００３４】
加えて消臭シート１７は折り曲げたりする等が簡単で取り扱いが容易になることから、消臭シート１７を肩掛けパッド３、３内に収容することが容易になる。
【００３５】
本実施形態のハーネス１では、第１ベルト長さ調整具６、６を用い、肩掛けベルト５、５の長さを調整して、バックプレート２を作業者の背部へ引き寄せる簡単な構造で、バックプレート２を作業者の背部に密着させることができる。これにより、刈払機３６の重量をバックプレート２に分散させる結果、作業者にかかる負担を軽減できる。
【００３６】
また、支持部材９を一対の肩掛けパッド３、３の接続部となるバックル７に繋いだことで、刈払機３６の重量を、肩掛けパッド３、３を介して作業者の両肩部に分散可能となる。よって、作業者の一方の肩部に荷重が集中することがなくなって、作業者の肩部にかかる負担を軽減できる。
【００３７】
さらにバックプレート２の上方に設けた幅狭部１２、１２は、バックプレート２の下方よりも断面二次モーメントが小さくなるため、バックプレート２の上方が下方よりもたわみ易くなる。よって、第１ベルト長さ調整具６、６を用いて肩掛けベルト５、５の長さを調整することで、バックプレート２の上方を作業者の背部へ引き寄せ易くなる。
【００３８】
加えてバックプレート２では、肩掛けパッド３、３が固定された位置Ｐ１よりも上方の剛性が位置Ｐ１よりも下方の剛性に比べて低下する。よって、前記上方が前記下方に比べてたわみ易くなる。さらに加えて、バックプレート２に開設した穴１３に挿入した指で、バックプレート２を保持した状態で、作業者はハーネス１を手に提げて持ち運ぶことが可能になる。したがって、穴１３を、ハーネス１を持ち運ぶために利用できる。
【００３９】
本実施形態のハーネス１では、バックル７と両ベルト２５、３１、両プレート位置調整ベルト２８、３４を用いて、作業者の前側の一箇所で肩掛けパッド３、３と腰当てパッド４とを連結したため、刈払機３６の重量を、連結した肩掛けパッド３、３と腰当てパッド４とに分散可能となる。その結果、作業者にかかる負担を軽減できる。さらに、バックル７の雌部材３２にバックル７の雄部材２４を差し込んだり、雌部材３２から雄部材２４を外すことにより、作業者の前側の一箇所で、肩掛けパッド３、３と腰当てパッド４とを着脱可能にした。このため、肩掛けパッド３、３と腰当てパッド４との着脱操作が容易になる。その結果作業者は、簡単にハーネス１を着脱できる。
【００４０】
また、バックル７と両ベルト２５、３１、両プレート位置調整ベルト２８、３４を介して、肩掛けパッド３、３と腰当てパッド４とを連結したときは、腰当てパッド４が、作業者の腰回りに密着しながら作業者の前側に向けて斜め上方へ傾斜した状態を保つことが可能になる。したがって、腰当てパッド４は作業者の腰部から下がり難くなる。
【００４１】
さらに腰当てパッド４の最下部に水平部分２１を設けたため、作業者がハーネス１を装着したときに、腰当てパッド４の最下部が、水平部分２１によって作業者の腰部に密着し易くなる。また、水平部分２１を地面に接触させた状態で、腰当てパッド４を安定した姿勢で地面に置くことができる。その上、腰当てパッド４を地面に置いたときは、水平部分２１に土等が付着するだけで、腰当てパッド４の下面全体に土等が付着することがない。よって、前記下面全体が汚れることを防止できる。
【００４２】
加えて腰当てパッド４の左右方向の中心部の下面に、最下部となる水平部分２１を設けたため、作業者がハーネス１を装着したときに、最下部となる腰当てパッド４の前記中心部が、作業者の腰部に密着し易い状態を作り出すことができる。
【００４３】
さらに加えて、作業者がハーネス１を装着した状態で、刈払機３６の重量を脇当てパッド８にも分散させて、作業者にかかる負担をより軽減できる。
【００４４】
これに加えて、締め付けベルト３１を引っ張って該ベルト３１の長さを調整することにより、作業者の左側の肩掛けパッド３を、作業者の左肩部に接近する方向へ引き締め可能にしたため、左側の肩掛けパッド３を左肩部に接近する方向へ引き締める動作と、脇当てパッド８を左脇腹に締め付ける動作とを同時に行うことが可能になる。加えて刈払機３６の重量を、左側の肩掛けパッド３と脇当てパッド８とに分散できる。
【００４５】
本実施形態のハーネス１では、腰当てパッド４の引掛けリング１０に、燃料を入れた缶等の物品を引っ掛けるだけで、物品を簡単に持ち歩くことができる。
【００４６】
また作業者は、右横で刈払機３６を支持部材９に係止した状態で、左横に位置する引掛けリング１０に、物品を引っ掛けることができる。したがって、刈払機３６を用いた草刈り作業を邪魔することなく、物品を持ち運ぶことができる。
【００４７】
さらに支持ベルト４５によって、腰当てパッド４をバックプレート２に支持し、引掛けリング１０に引っ掛けた物品の重量で、腰当てパッド４が作業者の腰部から下がることを防止できる。
【００４８】
加えて支持ベルト４５は、重ね合わせ部４９で細くなることで動き易くなるため、物品の重量が支持ベルト４５の一部に集中することを回避できる。よって、支持ベルト４５が腰当てパッド４からちぎれることを防止できる。
【００４９】
本発明は、上述した実施形態に限定されるものではなく、発明の趣旨を逸脱しない範囲内において構成の一部を適宜変更して実施できる。例えば肩掛けパット３、３に加えて腰当てパッド４や脇当てパッド８にも、消臭シート１７を収容してもよい。一方、消臭シート１７に代えて、芳香成分を含浸等した芳香シートを肩掛けパッドに収容し、肩掛けパッドから放たれる芳香で防臭機能を発揮させてもよい。また消臭シートや芳香シートに代えて、粒状の消臭剤や芳香剤を肩掛けパッドに収容してもよい。
【００５０】
さらに上述した実施形態とは異なり、腰当てパッド４の下面であって左右方向の中心部から左又は右へずれた位置に、水平部分を設けてもよい。また上述した実施形態とは異なり腰当てパッド４を、前記中心部の下面を頂部として下面が左方及び右方に向けて斜め上方へ傾斜する形状にしてもよい。加えて上述した実施形態ではハーネスに、作業者の左脇腹に当接させる脇当てパッドを設けたが、これとは異なりハーネスに、右脇腹に当接させる脇当てパッドを設けたり、左右の脇腹にそれぞれ当接させる複数の脇当てパッドを設けてもよい。また上述した実施形態では、脇当てパッド８の上側に、締め付けベルト３１の一部を縫い付けた例を示したが、これとは異なり、締め付けベルトを脇当てパッド８に挿通保持させて、この締め付けベルトの長さを調整することに伴って、脇当てパッド８を作業者の左脇腹に当接させるようにしてもよい。この場合には、脇当てパッド８の上側に、締め付けベルトの一部を縫い付けた例とは異なり、締め付けベルトが、脇当てパッド８に係止されながら、脇当てパッド８に対して抜き差し可能となることで、締め付けベルトの長さを調整するために該締め付けベルトを引っ張る力が低減可能になる。
【００５１】
その他にも上述した実施形態とは異なり例えば、引掛けリング１０に代えて面状ファスナやスナップボタンを腰当てパッド４に取り付けて、この面ファスナに、物品の面ファスナを圧着したり、前記スナップボタンに、物品のスナップボタンを止めるようにしてもよい。
【符号の説明】
【００５２】
１・・ハーネス、２・・バックプレート、３・・肩掛けパッド、４・・腰当てパッド、５・・肩掛けベルト、６・・第１ベルト長さ調整具、７・・バックル、８・・脇当てパッド、９・・支持部材、１０・・引掛けリング、１２・・幅狭部、１３・・穴、１５・・ポリエチレンフォーム、１６・・ポリウレタンフォーム、１７・・消臭シート、２１・・腰当てパッドの水平部分、２２・・ベルト、２５・・位置調整ベルト、２８・・第１プレート位置調整ベルト、３１・・締め付けベルト、３４・・第２プレート位置調整ベルト、３６・・刈払機、４５・・支持ベルト、４９・・支持ベルトの重ね合わせ部、Ｐ・・肩掛けパッドと腰当てパッドとの連結位置、Ｐ１・・一対の肩掛けパッドがハーネスに固定された位置。
【図１】
0005722750.tif 000002
【図２】
0005722750.tif 000003
【図３】
0005722750.tif 000004
【図４】
0005722750.tif 000005
【図５】
0005722750.tif 000006
【図６】
0005722750.tif 000007
【図７】
0005722750.tif 000008